(57)【要約】【課題】アンテナ性能の劣化を抑制する。【解決手段】無線受信機器１は、本体１０と、本体１０に回動可能に取り付けられたスタンド２と、スタンド２に設けられた第１アンテナ１１と、本体１０に回動可能に取り付けられた第２アンテナ１２と、第１アンテナ１１の電気信号を受信する第１受信部４１と、第２アンテナ１２の電気信号を受信する第２受信部４５と、第１及び第２受信部４１，４５へ電力を供給する電力供給部４３，４７と、スタンド２の回動角度を検出するスタンド角度検出部５と、第２アンテナ１２の回動角度を検出する取っ手角度検出部６とを備えている。電力供給部４３は、スタンド２の収納状態からの回動角度が所定値以下であるときには第１受信部４１への電力供給を停止する。電力供給部４７は、第２アンテナ１２の収納状態からの回動角度が所定値以下であるときには第２受信部４５への電力供給を停止する。【選択図】図１
2010187171.tif 000002
【特許請求の範囲】
【請求項１】
無線電波を受信する無線受信機器であって、
本体と、
前記本体に取り付けられると共に、所定の収納状態から回動可能に構成された、該本体を支持するためのスタンドと、
前記スタンドに設けられた第１アンテナと、
前記本体に取り付けられると共に、所定の収納状態から回動可能に構成された第２アンテナと、
前記第１アンテナからの電気信号を受信する第１受信部と、
前記第２アンテナからの電気信号を受信する第２受信部と、
前記第１及び第２受信部へ電力を供給する電力供給部と、
前記スタンドの前記収納状態からの回動角度を検出するスタンド角度検出部と、
前記第２アンテナの前記収納状態からの回動角度を検出する第２アンテナ角度検出部とを備え、
前記電力供給部は、前記スタンド角度検出部によって検出される、前記スタンドの前記収納状態からの回動角度が所定値以下であるときには前記第１受信部への電力供給を停止し、前記第２アンテナ角度検出部によって検出される、前記第２アンテナの収納状態からの回動角度が所定値以下であるときには前記第２受信部への電力供給を停止する無線受信機器。
【請求項２】
請求項１に記載の無線受信機器において、
前記スタンド角度検出部は、前記本体に設けられたスタンド側固定抵抗部材と、前記スタンドに設けられ且つ該スタンド側固定抵抗部材と対向した状態で接触しているスタンド側回動抵抗部材とで構成され、前記スタンドが回動することによって該スタンド側固定抵抗部材と該スタンド側回動抵抗部材との接触面積が変化して抵抗値が変化するスタンド側可変抵抗器を有し、該スタンド側可変抵抗器の抵抗値によって該スタンドの回動角度を検出するように構成されており、
前記第２アンテナ角度検出部は、前記本体に設けられた第２アンテナ側固定抵抗部材と、前記第２アンテナと連動して回動し且つ該第２アンテナ側固定抵抗部材と対向した状態で接触している第２アンテナ側回動抵抗部材とで構成され、前記第２アンテナが回動することによって該第２アンテナ側固定抵抗部材と該第２アンテナ側回動抵抗部材との接触面積が変化して抵抗値が変化する第２アンテナ側可変抵抗器を有し、該第２アンテナ側可変抵抗器の抵抗値によって該第２アンテナの回動角度を検出するように構成されている無線受信機器。
【請求項３】
請求項１に記載の無線受信機器において、
前記スタンド角度検出部は、前記本体及び前記スタンドの一方に設けられたスタンド側磁力線センサと、該本体及び該スタンドの他方に設けられたスタンド側磁石とを有し、該スタンド側磁力線センサの出力によって該スタンドの回動角度を検出するように構成されており、
前記第２アンテナ側角度検出部は、前記本体及び前記第２アンテナの一方に設けられた第２アンテナ側磁力線センサと、該本体及び該第２アンテナの他方に設けられた第２アンテナ側磁石とを有し、該第２アンテナ側磁力線センサの出力によって該第２アンテナの回動角度を検出するように構成されている無線受信機器。
【請求項４】
請求項１に記載の無線受信機器において、
前記スタンド角度検出部は、前記本体及び前記スタンドの一方に設けられて、該スタンドの前記収納状態からの回動角度が前記所定値以下のときに押圧されるスタンド側スイッチ部を有し、該スタンド側スイッチ部の出力によって該スタンドの回動角度を検出するように構成されており、
前記第２アンテナ角度検出部は、前記本体及び前記第２アンテナの一方に設けられて、該第２アンテナの前記収納状態からの回動角度が前記所定値以下のときに押圧される第２アンテナ側スイッチ部を有し、該第２アンテナ側スイッチ部の出力によって該第２アンテナの回動角度を検出するように構成されている無線受信機器。
【請求項５】
請求項１に記載の無線受信機器において、
前記スタンド角度検出部は、前記スタンドと連動して回動するスタンド側ギアと、該スタンド側ギアと噛合し且つ前記本体にスライド可能に設けられたスタンド側ラックと、該本体に設けられて該スタンド側ラックの移動量を検出するスタンド側移動量検出部とを有し、該スタンド側移動量検出部の出力によって該スタンドの回動角度を検出するように構成されており、
前記第２アンテナ角度検出部は、前記第２アンテナと連動して回動する第２アンテナ側ギアと、該第２アンテナ側ギアと噛合し且つ前記本体にスライド可能に設けられた第２アンテナ側ラックと、該本体に設けられて該第２アンテナ側ラックの移動量を検出する第２アンテナ側移動量検出部とを有し、該第２アンテナ側移動量検出部の出力によって、該第２アンテナの回動角度を検出するように構成されている無線受信機器。
【請求項６】
請求項１乃至５の何れか１つに記載の無線受信機器において、
前記第１受信部は、前記第１アンテナで変換された電気信号を増幅する第１前置増幅部と、該第１前置増幅部で増幅された信号を信号処理する第１信号処理部とを有し、
前記第２受信部は、前記第２アンテナで変換された電気信号を増幅する第２前置増幅部と、該第２前置増幅部で増幅された信号を信号処理する第２信号処理部とを有する無線受信機器。
【請求項７】
無線電波を受信する無線受信機器であって、
本体と、
前記本体に取り付けられると共に、所定の収納状態から回動可能に構成された、該本体を支持するためのスタンドと、
前記スタンドに設けられた第１アンテナと、
前記本体に取り付けられると共に、所定の収納状態から回動可能に構成された第２アンテナと、
前記第１アンテナからの電気信号を受信する第１受信部と、
前記第２アンテナからの電気信号を受信する第２受信部と、
前記第１及び第２受信部へ電力を供給する電力供給部と、
前記第１アンテナからの電気信号の信号電力を検出する第１電力検出部と、
前記第２アンテナからの電気信号の信号電力を検出する第２電力検出部とを備え、
前記電力供給部は、前記第１電力検出部によって検出される前記第１アンテナの信号電力が所定値以下であるときには前記第１受信部への電力供給を停止し、前記第２電力検出部によって検出される前記第２アンテナの信号電力が所定値以下であるときには前記第２受信部への電力供給を停止する無線受信機器。
【請求項８】
請求項７に記載の無線受信機器において、
前記電力供給部は、前記第１又は第２受信部への電力供給を停止した後、所定の時間経過後に電源供給を再開して、前記第１又は第２アンテナの信号電力に基づく該第１又は第２受信部への電力供給の実施及び停止の判定を実行する無線受信機器。
【発明の詳細な説明】
【技術分野】
【０００１】
本発明は、複数本のアンテナを備えて、空中を伝搬する電波を受信する無線受信機器に関するものである。
【背景技術】
【０００２】
近年、携帯電話や地上デジタル放送の技術開発が進み、有線で接続することなく、無線電波を用いて、データや音声、テレビ放送などを受信する無線受信機器が普及している。無線電波は、アンテナを用いて電気信号に変換され、機器内で増幅、復調、信号処理され、複号される。
【０００３】
無線電波を感度よく受信するための技術として、ダイバーシティ受信が挙げられる。無線通信では、マルチパスなどの影響によりフェージングが生じ、位置、時間、周波数などが異なると、電界強度が異なり、結果として受信感度が低下する。ダイバーシティ受信は、複数のアンテナを用いて受信することで、フェージングによる受信感度劣化を改善することが可能となる。ダイバーシティ受信の方式にはいくつかあり、複数のアンテナを設置し、受信した信号電力が大きい方を選択し、信号電力が小さい方を破棄するアンテナ選択方式や、複数のアンテナで受信し、各アンテナの受信信号の位相を合わせて合成する最大比合成方式などがある。
【０００４】
複数のアンテナを備えて、ダイバーシティ受信を行う無線受信機器として、特許文献１に開示されたものが知られている。この無線受信機器は、本体の背面に回動可能な取っ手が設けられ、この取っ手内に２本のアンテナが内蔵されている。そして、例えば電界強度が強い方のアンテナを選択し、電界強度の弱い方のアンテナの出力を破棄する、又は、２つのアンテナで受信した信号を位相を合わせて合成する、などの処理を行うことで、フェージングによる影響を低減することが可能となる。
【特許文献１】特開２００２−２６１６４６号公報
【発明の開示】
【発明が解決しようとする課題】
【０００５】
しかしながら、前記の構成においては、アンテナは、取っ手を介して、本体に回動可能に取り付けられており、取っ手が本体に対して収納された状態となると、取っ手に内蔵されたアンテナも本体に対して収納された状態となる。このように、アンテナが本体に対して収納されてしまうと、該アンテナが本体の筐体や基板といったグランドに近付いた状態になるため、アンテナ性能が劣化してしまう。
【０００６】
本発明は、かかる点に鑑みてなされたものであり、その目的とするところは、アンテナ性能の劣化を抑制することにある。
【課題を解決するための手段】
【０００７】
本発明者は、前記課題を解決すべく、鋭意研究の結果、本体に対して回動可能に取り付けられたスタンドに第１アンテナを設けると共に、それとは別に、本体に対して回動可能に取り付けられた第２アンテナを設けることによって、何れか一方のアンテナが本体に収納された場合であっても、他方のアンテナでアンテナ性能を確保できることを見出した。
【０００８】
ところが、本体に対して回動可能な２つのアンテナを設けた場合、本体に収納されたアンテナにおいては、アンテナ性能が低下しているにもかかわらず、その受信部等の周辺回路には電力供給が継続され、電力が無駄に消費されているという課題を新たに見出した。つまり、本発明は、アンテナ性能の劣化を抑制することに加えて、消費電力を抑制することを目的とするものである。
【０００９】
本発明は、無線電波を受信する無線受信機器が対象である。そして、本体と、前記本体に取り付けられると共に、所定の収納状態から回動可能に構成された、該本体を支持するためのスタンドと、前記スタンドに設けられた第１アンテナと、前記本体に取り付けられると共に、所定の収納状態から回動可能に構成された第２アンテナと、前記第１アンテナからの電気信号を受信する第１受信部と、前記第２アンテナからの電気信号を受信する第２受信部と、前記第１及び第２受信部へ電力を供給する電力供給部と、前記スタンドの前記収納状態からの回動角度を検出するスタンド角度検出部と、前記第２アンテナの前記収納状態からの回動角度を検出する第２アンテナ角度検出部とを備え、前記電力供給部は、前記スタンド角度検出部によって検出される、前記スタンドの前記収納状態からの回動角度が所定値以下であるときには前記第１受信部への電力供給を停止し、前記第２アンテナ角度検出部によって検出される、前記第２アンテナの収納状態からの回動角度が所定値以下であるときには前記第２受信部への電力供給を停止するものとする。
【００１０】
前記スタンド角度検出部は、前記本体に設けられたスタンド側固定抵抗部材と、前記スタンドに設けられ且つ該スタンド側固定抵抗部材と対向した状態で接触しているスタンド側回動抵抗部材とで構成され、前記スタンドが回動することによって該スタンド側固定抵抗部材と該スタンド側回動抵抗部材との接触面積が変化して抵抗値が変化するスタンド側可変抵抗器を有し、該スタンド側可変抵抗器の抵抗値によって該スタンドの回動角度を検出するように構成されており、前記第２アンテナ角度検出部は、前記本体に設けられた第２アンテナ側固定抵抗部材と、前記第２アンテナと連動して回動し且つ該第２アンテナ側固定抵抗部材と対向した状態で接触している第２アンテナ側回動抵抗部材とで構成され、前記第２アンテナが回動することによって該第２アンテナ側固定抵抗部材と該第２アンテナ側回動抵抗部材との接触面積が変化して抵抗値が変化する第２アンテナ側可変抵抗器を有し、該第２アンテナ側可変抵抗器の抵抗値によって該第２アンテナの回動角度を検出するように構成されていてもよい。
【００１１】
前記スタンド角度検出部は、前記本体及び前記スタンドの一方に設けられたスタンド側磁力線センサと、該本体及び該スタンドの他方に設けられたスタンド側磁石とを有し、該スタンド側磁力線センサの出力によって該スタンドの回動角度を検出するように構成されており、前記第２アンテナ側角度検出部は、前記本体及び前記第２アンテナの一方に設けられた第２アンテナ側磁力線センサと、該本体及び該第２アンテナの他方に設けられた第２アンテナ側磁石とを有し、該第２アンテナ側磁力線センサの出力によって該第２アンテナの回動角度を検出するように構成されていてもよい。
【００１２】
前記スタンド角度検出部は、前記本体及び前記スタンドの一方に設けられて、該スタンドの前記収納状態からの回動角度が前記所定値以下のときに押圧されるスタンド側スイッチ部を有し、該スタンド側スイッチ部の出力によって該スタンドの回動角度を検出するように構成されており、前記第２アンテナ角度検出部は、前記本体及び前記第２アンテナの一方に設けられて、該第２アンテナの前記収納状態からの回動角度が前記所定値以下のときに押圧される第２アンテナ側スイッチ部を有し、該第２アンテナ側スイッチ部の出力によって該第２アンテナの回動角度を検出するように構成されていてもよい。
【００１３】
前記スタンド角度検出部は、前記スタンドと連動して回動するスタンド側ギアと、該スタンド側ギアと噛合し且つ前記本体にスライド可能に設けられたスタンド側ラックと、該本体に設けられて該スタンド側ラックの移動量を検出するスタンド側移動量検出部とを有し、該スタンド側移動量検出部の出力によって該スタンドの回動角度を検出するように構成されており、前記第２アンテナ角度検出部は、前記第２アンテナと連動して回動する第２アンテナ側ギアと、該第２アンテナ側ギアと噛合し且つ前記本体にスライド可能に設けられた第２アンテナ側ラックと、該本体に設けられて該第２アンテナ側ラックの移動量を検出する第２アンテナ側移動量検出部とを有し、該第２アンテナ側移動量検出部の出力によって、該第２アンテナの回動角度を検出するように構成されていてもよい。
【００１４】
前記第１受信部は、前記第１アンテナで変換された電気信号を増幅する第１前置増幅部と、該第１前置増幅部で増幅された信号を信号処理する第１信号処理部とを有し、前記第２受信部は、前記第２アンテナで変換された電気信号を増幅する第２前置増幅部と、該第２前置増幅部で増幅された信号を信号処理する第２信号処理部とを有するものであってもよい。
【００１５】
別の本発明は、無線電波を受信する無線受信機器が対象である。そして、本体と、前記本体に取り付けられると共に、所定の収納状態から回動可能に構成された、該本体を支持するためのスタンドと、前記スタンドに設けられた第１アンテナと、前記本体に取り付けられると共に、所定の収納状態から回動可能に構成された第２アンテナと、前記第１アンテナからの電気信号を受信する第１受信部と、前記第２アンテナからの電気信号を受信する第２受信部と、前記第１及び第２受信部へ電力を供給する電力供給部と、前記第１アンテナからの電気信号の信号電力を検出する第１電力検出部と、前記第２アンテナからの電気信号の信号電力を検出する第２電力検出部とを備え、前記電力供給部は、前記第１電力検出部によって検出される前記第１アンテナの信号電力が所定値以下であるときには前記第１受信部への電力供給を停止し、前記第２電力検出部によって検出される前記第２アンテナの信号電力が所定値以下であるときには前記第２受信部への電力供給を停止するものとする。
【００１６】
前記電力供給部は、前記第１又は第２受信部への電力供給を停止した後、所定の時間経過後に電源供給を再開して、前記第１又は第２アンテナの信号電力に基づく該第１又は第２受信部への電力供給の実施及び停止の判定を実行してもよい。
【発明の効果】
【００１７】
本発明によれば、スタンドに設けられた第１アンテナと、本体に対して回動可能に設けられた第２アンテナとの２つのアンテナを設けることによって、一方のアンテナが本体に対して収納された状態となった場合であっても、他方のアンテナでアンテナ性能を確保することができ、高いアンテナ性能を実現することができる。それに加えて、収納状態にあるアンテナの受信部への電力供給を停止することによって、消費電力を抑制することができる。
【発明を実施するための最良の形態】
【００１８】
以下、本発明の実施形態を図面に基づいて詳細に説明する。
【００１９】
《発明の実施形態１》
本発明の実施形態１に係る無線受信機器について、図１〜４を参照しながら説明する。図１は、本発明の実施形態１に係る無線受信機器の斜視図であって、後述する取っ手及びスタンドが使用状態のときを示し、図２は、取っ手及びスタンドが収納状態のときの無線受信機器の斜視図であり、図３は、取っ手が収納状態で、スタンドが使用状態のときの無線受信機器の斜視図であって、図４は、取っ手が使用状態で、スタンドが収納状態のときの無線受信機器の斜視図であって、図５は、無線受信機器の一部の構成を示すブロック図である。
【００２０】
無線受信機器１は、本体１０と、該本体１０に取り付けられたスタンド２と、該本体１０に取り付けられた取っ手３と、該スタンド２に内蔵された第１アンテナ１１，１１と、該取っ手３内に内蔵された第２アンテナ１２，１２と、受信回路４とを備える。無線受信機器１は、例えば、テレビ放送などの無線電波を受信するテレビジョン受信機等である。
【００２１】
本体１０は、扁平な直方体形状をしており、筐体に覆われている。この筐体は、金属製であってもよい。この本体１０内には、受信回路４や制御回路（図示省略）が内蔵されている。
【００２２】
スタンド２は、本体１０の背面に取り付けられる２本の主脚２１，２１と、該２本の主脚２１，２１を連結する連結部２２とを有している。これら主脚２１，２１及び連結部２２は、平面視長方形の板状の部材である。２本の主脚２１，２１は互いに平行に配置されている。連結部２２は、主脚２１，２１に対して直交した状態で該主脚２１，２１に連結されている。こうして構成されたスタンド２は、概略Ｈ形状をしている。そして、各主脚２１は、本体１０の背面に回動可能に取り付けられている。詳しくは、主脚２１は、その基端部が、本体１０の背面における上側の角部近傍において該本体１０に対して回動可能に取り付けられている。
【００２３】
このスタンド２は、本体１０の背面に重なって収まった収納状態と、本体１０との間に所定の角度が形成されて該本体１０を支持する使用状態との間で回動可能に構成されている。スタンド２は、収納状態においては、スタンド２の主脚２１，２１及び連結部２２の厚み方向と、本体１０の厚み方向とが同じ方向を向くように、スタンド２と本体１０とが重なる。尚、本実施形態１では、スタンド２は、本体１０の背面から突出しているが、本体１０の背面にスタンド２が収納される凹部を形成して、収納状態においては、スタンド２が本体１０の背面と面一となるように該凹部に収納される構成であってもよい。
【００２４】
取っ手３は、対向する２つの長辺部と対向する２つの短辺部とを備えた、平面視長方形の枠状の部材である。取っ手３は、スタンド２の一方の主脚２１の基端部と、他方の主脚２１の基端部との間において、一方の長辺部を中心に回動するように、本体１０の背面に取り付けられている。
【００２５】
この取っ手３は、本体１０の背面に重なって収まった収納状態と、本体１０との間に所定の角度が形成されて該本体１０を該取っ手３をユーザが把持できる状態あるいは該取っ手３を壁等のフックに吊り下げることができる状態である使用状態との間で回動可能に構成されている。取っ手３は、スタンド２と同様に、収納状態においては、取っ手３の厚み方向と、本体１０の厚み方向とが同じ方向を向くように、取っ手３と本体１０とが重なる。尚、本実施形態１では、取っ手３は、本体１０の背面から突出しているが、本体１０の背面に取っ手３が収納される凹部を形成して、収納状態においては、取っ手３が本体１０の背面と面一となるように該凹部に収納される構成であってもよい。
【００２６】
第１アンテナ１１，１１はそれぞれ、スタンド２の主脚２１，２１に内蔵されている。各第１アンテナ１１は、直線状の部材であって、主脚２１に沿って延伸している。これら第１アンテナ１１，１１は、スタンド２と一体となって回動する。
【００２７】
第２アンテナ１２，１２は、取っ手３内に内蔵されている。各第２アンテナ１２は、途中で略直角に屈曲して、概略Ｌ字形状をしている。詳しくは、取っ手３の短辺部に沿って延びる基端部１２ａと、該取っ手３の本体１０から離れた位置の長辺部に沿って延びる先端部１２ｂとを有している。このように構成された第２アンテナ１２，１２は、取っ手３と一体となって回動する。
【００２８】
これら第１アンテナ１１，１１及び第２アンテナ１２，１２は、本体１０内の受信回路４に電気的に接続されている。
【００２９】
受信回路４は、第１アンテナ１１，１１にそれぞれ接続された第１受信部４１，４１と、該第１受信部４１，４１に電力を供給する第１電力供給部４３と、スタンド２の回動角度を検出するスタンド角度検出部５と、第２アンテナ１２，１２にそれぞれ接続された第２受信部４５，４５と、該第２受信部４５，４５に電力を供給する第２電力供給部４７と、取っ手３の回動角度を検出する取っ手角度検出部６と、第１受信部４１，４１及び第２受信部４５，４５の出力信号が入力されるダイバーシティ合成部４９とを有している。受信回路４は、第１及び第２受信部４１，４１，４５，４５の後述する、第１及び第２前置増幅部４１ａ，４１ａ，４５ａ，４５ａ以外は、本体１０内に設けられている。
【００３０】
各第１受信部４１は、第１アンテナ１１に接続された第１前置増幅部４１ａと、該第１前置増幅部４１ａの出力信号がそれぞれ入力される第１信号処理部４１ｂとを有している。第１前置増幅部４１ａは、第１アンテナ１１と共にスタンド２に内蔵されていて、無線電波を受信した第１アンテナ１１の信号を増幅して出力する。各第１信号処理部４１ｂ、チューナやＡ／Ｄコンバータなどで構成され、第１前置増幅部４１ａからの出力信号を信号処理して、ダイバーシティ合成部４９へ出力する。
【００３１】
各第２受信部４５は、第２アンテナ１２に接続された第２前置増幅部４５ａと、該第２前置増幅部４５ａの出力信号がそれぞれ入力される第２信号処理部４５ｂとを有している。第２前置増幅部４５ａは、第２アンテナ１２と共に取っ手３に内蔵されていて、無線電波を受信した第２アンテナ１２の信号を増幅して出力する。各第２信号処理部４５ｂは、チューナやＡ／Ｄコンバータなどで構成され、第２前置増幅部４５ａからの出力信号を信号処理して、ダイバーシティ合成部４９へ出力する。
【００３２】
ダイバーシティ合成部４９は、第１信号処理部４１ｂ，４１ｂ及び第２信号処理部４５ｂ，４５ｂの出力信号を合成して、受信信号として出力する。
【００３３】
以下に、スタンド角度検出部５及び取っ手角度検出部６の構成ついて、図６を参照しながら、詳しく説明する。図６は、角度検出部の構成を示す概略説明図であって、（Ａ）は、スタンド又は取っ手の回動角度が零の状態、即ち、収納状態を示し、（Ｂ）は、スタンド又は取っ手が収納状態から回動したときの状態を示す。尚、スタンド角度検出部５と取っ手角度検出部６は、スタンド２の回動角度を検出するか、取っ手３の回動角度を検出するかが異なるだけであるため、以下では、スタンド角度検出部５について主に説明する。
【００３４】
スタンド角度検出部５は、本体１０に固定された固定抵抗部材５１と、前記スタンド２に固定されて該スタンド２と共に回動する（即ち、第１アンテナ１１と共に回動する）回動抵抗部材５２とで構成された可変抵抗器５０を有している。この可変抵抗器５０がスタンド側可変抵抗器を、固定抵抗部材５１がスタンド側固定抵抗部材を、回動抵抗部材５２がスタンド側回動抵抗部材を構成する。固定抵抗部材５１と回動抵抗部材５２とは、互いに対向して物理的に接触して配置されている。尚、図６においては、説明の便宜上、固定抵抗部材５１と回動抵抗部材５２とを離した状態で図示している。固定及び回動抵抗部材５１，５２は、円盤状の部材であって、円盤のうち、半円部分だけが或る抵抗率を有し（以下、この半円部分を抵抗部分ともいう）、残りの部分は絶縁体で構成されている。そして、回動抵抗部材５２は、固定抵抗部材５１と同軸状に配置され、円盤の中心を回転軸として、回動する。
【００３５】
そして、スタンド２が、前記収納状態においては、固定抵抗部材５１と回動抵抗部材５２とは、それぞれの抵抗部分の全面が重なって接触している。スタンド２が、収納状態から使用状態に向かって回動していくと、スタンド２（即ち、第１アンテナ１１）に連動して、回動抵抗部材５２が回動し、固定抵抗部材５１の抵抗部分と回動抵抗部材５２の抵抗部分との接触面積が小さくなっていく。その結果、スタンド２が収納状態から回動していくに従って、固定抵抗部材５１に接続された端子Ａと、回動抵抗部材５２に接続された端子Ｂとの間の抵抗値は大きくなる。つまり、固定抵抗部材５１の端子Ａと回動抵抗部材５２の端子Ｂの抵抗値を検出することによって、スタンド２、即ち、第１アンテナ１１の、本体１０に対する回動角度を検出することができる。
【００３６】
以上、スタンド角度検出部５について説明してきたが、取っ手角度検出部６も、スタンド角度検出部５と同様の構成をしている。すなわち、取っ手角度検出部６においては、前記回動抵抗部材５２が取っ手３と共に回動するように構成され、それと対向するようにして、固定抵抗部材５１が本体１０に設けられる。そして、取っ手３が収納状態のときに、固定抵抗部材５１の抵抗部分と回動抵抗部材５２の抵抗部分とが全面で重なって接触するように構成され、取っ手３の回動に伴って、固定抵抗部材５１の抵抗部分と回動抵抗部材５２の抵抗部分との接触面積が小さくなるように構成される。こうして、固定抵抗部材５１の端子Ａと回動抵抗部材５２の端子Ｂの抵抗値を検出することによって、取っ手３、即ち、第２アンテナ１２の、本体１０に対する回動角度を検出することができる。この取っ手角度検出部６が第２アンテナ角度検出部を構成する。また、取っ手角度検出部６においては、可変抵抗器５０が第２アンテナ側可変抵抗器を、固定抵抗部材５１が第２アンテナ側固定抵抗部材を、回動抵抗部材５２が第２アンテナ側回動抵抗部材を構成する。
【００３７】
尚、固定及び回動抵抗部材５１，５２の形状は、円盤としたが、スタンド２又は取っ手３の回動と共に接触面積が変化するする形状であれば、任意の形状を採用することができる。
【００３８】
また、スタンド２又は取っ手３が収納状態のときに、Ａ端子とＢ端子との間の抵抗値が最も大きく、使用状態に向かって該抵抗値が小さくなるように構成されているが、収納状態のときに該抵抗値が最も小さく、使用状態に向かって該抵抗値が大きくなるように構成してもよい。
【００３９】
さらに、第１又は第２アンテナ１１，１２と回動抵抗部材５２が共に回動するように構成しているが、第１又は第２アンテナ１１，１２とは別に設けられた円盤をギアなどを介して第１又は第２アンテナ１１，１２と連動して回動するように構成し、該円盤に回動抵抗部材５２を設けて、該回動抵抗部材５２を、本体１０に設けた固定抵抗部材５１と摺動させるように構成してもよい。
【００４０】
このように構成されたスタンド角度検出部５及び取っ手角度検出部６の出力信号はそれぞれ、第１電力供給部４３及び第２電力供給部４７に入力される。
【００４１】
第１電力供給部４３は、スタンド角度検出部５からの出力信号に基づいて、スタンド２が使用状態か収納状態かを検出する。詳しくは、第１電力供給部４３は、スタンド角度検出部５の出力信号に基づいて、スタンド２の本体１０に対する回動角度が１０°以下のときには、スタンド２が収納状態であると判定し、スタンド２の本体１に対する回動角度が１０°を超えているときには、スタンド２が使用状態であると判定する。そして、第１電力供給部４３は、スタンド２が使用状態であるときには、前述の如く、第１アンテナ１１，１１の第１受信部４１，４１である第１前置増幅部４１ａ，４１ａ及び第１信号処理部４１ｂ，４１ｂへ電力を供給する一方、スタンド２が収納状態であるときには、第１前置増幅部４１ａ，４１ａ及び第１信号処理部４１ｂ，４１ｂへの電力供給を停止する。
【００４２】
同様に、第２電力供給部４７は、取っ手角度検出部６からの出力信号に基づいて、取っ手３が使用状態か収納状態かを検出する。詳しくは、第２電力供給部４７は、取っ手角度検出部６の出力信号に基づいて、取っ手３の本体１０に対する回動角度が１０°以下のときには、取っ手３が収納状態であると判定し、取っ手３の本体１に対する回動角度が１０°を超えているときには、取っ手３が使用状態であると判定する。そして、第２電力供給部４７は、取っ手３が使用状態であるときには、前述の如く、第２アンテナ１２，１２の第２受信部４５，４５である第２前置増幅部４５ａ，４５ａ及び第２信号処理部４５ｂ，４５ｂへ電力を供給する一方、取っ手３が収納状態であるときには、第２前置増幅部４５ａ，４５ａ及び第２信号処理部４５ｂ，４５ｂへの電力供給を停止する。
【００４３】
このように構成された無線受信機器１においては、スタンド２及び取っ手３が使用状態にあるときには、第１及び第２電力供給部４３，４７からそれぞれ、第１及び第２アンテナ１１，１１，１２，１２の第１及び第２受信部４１，４１，４５，４５に電力が供給されている。そのため、第１アンテナ１１，１１によって無線電波が受信されると、該無線電波は第１アンテナ１１，１１で電気信号に変換され、その電気信号は第１前置増幅部４１ａ，４１ａで増幅され、第１信号処理部４１ｂ，４１ｂで信号処理される。信号処理された信号は、ダイバーシティ合成部４９に入力される。また、第２アンテナ１２，１２によって無線電波が受信されると、該無線電波は第２アンテナ１２，１２で電気信号に変換され、その電気信号は第２前置増幅部４５ａ，４５ａで増幅され、第２信号処理部４５ｂ，４５ｂで信号処理される。信号処理された信号は、ダイバーシティ合成部４９に入力される。ダイバーシティ合成部４９は、第１信号処理部４１ｂ，４１ｂからの信号と第２信号処理部４５ｂ，４５ｂからの信号をダイバーシティ合成して、受信信号として出力する。
【００４４】
一方、スタンド２が収納状態であって取っ手３が使用状態でるときには、第１電力供給部４３から第１アンテナ１１，１１の第１受信部４１，４１への電力供給が停止される。その結果、ダイバーシティ合成部４９には、第１アンテナ１１，１１からの信号が入力されることはなく、第２アンテナ１２，１２で受信された無線電波に基づく信号だけが入力される。
【００４５】
同様に、取っ手３が収納状態であってスタンド２が使用状態であるときには、第２電力供給部４７から第２アンテナ１２，１２の第２受信部４５，４５への電力供給が停止される。その結果、ダイバーシティ合成部４９には、第２アンテナ１２，１２からの信号が入力されることはなく、第１アンテナ１１，１１で受信された無線電波に基づく信号だけが入力される。
【００４６】
そして、スタンド２及び取っ手３が収納状態であるときには、第１及び第２電力供給部４３，４７から第１及び第２アンテナ１１，１１，１２，１２の第１及び第２受信部４１，４１，４５，４５への電力供給が停止される。その結果、ダイバーシティ合成部４９には、第１及び第２アンテナ１１，１１，１２，１２からの信号が入力されることはない。
【００４７】
したがって、本実施形態１によれば、スタンド２及び取っ手３の少なくとも一方が収納状態であるときには、収納状態である部材に設けられたアンテナの周辺回路、即ち、受信部への電力供給を停止することによって、受信性能に寄与しないアンテナへの電力供給を停止することができ、電力消費量を低減することができる。すなわち、スタンド２は、図３に示すように、無線受信機器１を机等の平面上に設置するときには使用状態とされるが、図４に示すように、壁等に無線受信機器１自体を立て掛けたり、取っ手３を介して吊り下げたりする場合には収納状態とされる場合がある。また、取っ手３は、図４に示すように、無線受信機器１を持ち運ぶときには使用状態とされるが、図３に示すように、無線受信機器１を机等の平面上に設置するときには収納状態とされる場合がある。これらスタンド２及び取っ手３にはそれぞれ第１及び第２アンテナ１１，１１，１２，１２が内蔵されており、スタンド２又は取っ手３が収納状態のときには、内蔵されるアンテナ１１，１２が筐体や基板等のグランドに近付き、アンテナ性能が低下する。とくに、ノイズ対策として、本体１０の筐体を金属や金属樹脂などでで構成している場合には、アンテナ性能をほとんど発揮しない状態となる。そこで、スタンド２及び取っ手３の少なくとも一方が収納状態となること検出し、収納状態となった方に内蔵されたアンテナの周辺回路への電力供給を停止することによって、受信性能に寄与しないアンテナの周辺回路での電力消費を抑えることができる。
【００４８】
尚、スタンド２と取っ手３の両方について、本体１０との回動角度を検出する角度検出部を設ける構成としたが、何れか一方だけに角度検出部を設ける構成であってもよい。この場合、少なくとも角度検出部を設けた方においては電力消費を抑えることができる。
【００４９】
また、スタンド２及び取っ手３ともに２本ずつアンテナが内蔵される構成としたが、スタンド２及び取っ手３とともに１本ずつアンテナが内蔵されるなど構成でもよく、スタンド２と取っ手３とに少なくとも１本以上のアンテナが内蔵される構成であればよい。
【００５０】
−変形例１−
続いて、前記実施形態１の変形例１について、図７を参照しながら説明する。図７は、変形例１に係る無線受信機器の角度検出部の構成を示す概略説明図であって、（Ａ）は、取っ手又はスタンドの回動角度が零の状態、即ち、収納状態を示し、（Ｂ）は、取っ手又はスタンドが収納状態から回動したときの状態を示す。
【００５１】
変形例１に係る無線受信機器は、スタンド角度検出部２０５及び取っ手角度検出部２０６の構成が前記実施形態１と異なる。そこで、前記実施形態１と同様の構成については同様の符号を付して説明を省略し、異なる構成を中心に説明する。尚、スタンド角度検出部２０５と取っ手角度検出部２０６は、スタンド２の回動角度を検出するか、取っ手３の回動角度を検出するかが異なるだけであるため、以下では、スタンド角度検出部２０５について主に説明する。
【００５２】
スタンド角度検出部２０５は、本体１０に固定された磁力線センサ２５１と、前記スタンド２に固定されて該スタンド２と共に回動する（即ち、第１アンテナ１１と共に回動する）磁石２５２とを有している。この磁力線センサ２５１がスタンド側磁力線センサを、磁石２５２がスタンド側磁石を構成する。磁石２５２は、円盤状の部材であって、一方の半円部分がＳ極に、他方の半円部分がＮ極に分極している。この磁石２５２は、円盤の中心を回転軸として回動する。
【００５３】
そして、磁力線センサ２５１と磁石２５２とは、磁石２５２の磁力線が磁力線センサ２５１を通過するように、互いに対向して配置されている。すなわち、磁石２５２が、スタンド２、即ち、第１アンテナ１１に連動して回動すると、磁力線センサ２５１を通過する、磁石２５２からの磁力線の強さが変化するため、該磁力線センサ２５１の出力が変化する。つまり、磁力線センサ２５１の出力を検出することによって、スタンド２、即ち、第１アンテナ１１の、本体１０に対する回動角度を検出することができる。
【００５４】
以上、スタンド角度検出部２０５について説明してきたが、取っ手角度検出部２０６も、スタンド角度検出部２０５と同様の構成をしている。すなわち、取っ手角度検出部２０６においては、前記磁石２５２が取っ手３と共に回動するように構成され、それと対向するようにして、磁力線センサ２５１が本体１０に設けられる。そして、磁力線センサ２５１の出力を検出することによって、取っ手３、即ち、第２アンテナ１２の、本体１０に対する回動角度を検出することができる。この取っ手角度検出部２０６が第２アンテナ角度検出部を構成する。また、取っ手角度検出部２０６においては、磁力線センサ２５１が第２アンテナ側磁力線センサを、磁石２５２が第２アンテナ側磁石を構成する。
【００５５】
したがって、スタンド角度検出部２０５及び取っ手角度検出部２０６をこのように構成した場合であっても、前記実施形態１と同様の作用・効果を奏することができる。
【００５６】
尚、磁石２５２の形状は、円盤としているが、棒状などでもよく、磁力線センサ２５１に対して回転することで磁力線が変化する構成であればよい。
【００５７】
また、磁力線センサ２５１を本体１０に、磁石２５２をスタンド２及び取っ手３に設ける構成について説明したが、磁力線センサ２５１をスタンド２及び取っ手３に、磁石２５２を本体１０に設ける構成としてもよい。
【００５８】
さらに、第１又は第２アンテナ１１，１２と磁石２５２が共に回動するように構成しているが、第１又は第２アンテナ１１，１２とは別に設けられた円盤をギアなどを介して第１又は第２アンテナ１１，１２と連動して回動するように構成し、該円盤に磁石２５２を設けて、該磁石２５２を回動させるように構成してもよい。
【００５９】
−変形例２−
次に、前記実施形態１の変形例２について、図８を参照しながら説明する。図８は、変形例２に係る無線受信機器の角度検出部の構成を示す概略説明図である。
【００６０】
変形例２に係る無線受信機器は、スタンド角度検出部３０５及び取っ手角度検出部３０６の構成が前記実施形態１と異なる。そこで、前記実施形態１と同様の構成については同様の符号を付して説明を省略し、異なる構成を中心に説明する。尚、スタンド角度検出部３０５と取っ手角度検出部３０６は、スタンド２の回動角度を検出するか、取っ手３の回動角度を検出するかが異なるだけであるため、以下では、スタンド角度検出部３０５について主に説明する。
【００６１】
スタンド角度検出部３０５は、本体１０に取り付けられたスイッチ部３５１で構成されている。このスイッチ部３５１がスタンド側スイッチ部を構成する。スイッチ部３５１は、押圧ボタン３５１ａを有している。該押圧ボタン３５１ａは、本体１０において、スタンド２が本体１０と重なって収納状態に収まるときに該スタンド２によって押圧される位置に設けられている。スイッチ部３５１は、押圧ボタン３５１ａの状態に応じた出力信号を出力する。すなわち、スイッチ部３５１は、押圧ボタン３５１ａが押圧されているときには、その旨を示す出力信号（ＯＮ信号）を出力し、押圧ボタン３５１ａの押圧が解除されると、その旨を示す出力信号（ＯＦＦ信号）を出力する。スイッチ部３５１の出力信号は第１電力供給部４３に入力されるように構成されている。
【００６２】
第１電力供給部４３は、スタンド角度検出部３０５からの出力信号、詳しくは、スイッチ部３５１からの出力信号に基づいて、スタンド２の回動角度、ひいては、スタンド２が使用状態か収納状態かを検出する。詳しくは、第１電力供給部４３は、押圧ボタン３５１ａが押圧されているときには、スタンド２が収納状態である、即ち、スタンド２の回動角度がスタンド２が収納状態とみなす範囲になっていると判定して、第１アンテナ１１，１１の第１受信部４１，４１である第１前置増幅部４１ａ，４１ａ及び第１信号処理部４１ｂ，４１ｂへの電力供給を停止する一方、押圧ボタン３５１ａが押圧されていないときには、スタンド２が使用状態である、即ち、スタンド２の回動角度が収納状態とみなす範囲を超えていると判定して、第１アンテナ１１，１１の第１受信部４１，４１である第１前置増幅部４１ａ，４１ａ及び第１信号処理部４１ｂ，４１ｂへ電力を供給する。
【００６３】
以上、スタンド角度検出部３０５について説明してきたが、取っ手角度検出部３０６も、スタンド角度検出部３０５と同様の構成をしている。すなわち、取っ手角度検出部３０６においては、スイッチ部３５１の押圧ボタン３５１ａが、取っ手３が本体１０と重なって収納状態に収まるときに、該取っ手３によって押圧される位置に設けられている。スイッチ部３５１は出力信号を第２電力供給部４７に入力するように構成されている。このスタンド角度検出部３０５が第２アンテナ側角度検出部を構成する。スタンド角度検出部３０５においては、スイッチ部３５１が第２アンテナ側スイッチ部を構成する。
【００６４】
そして、第２電力供給部４７は、取っ手角度検出部３０６からの出力信号、詳しくは、スイッチ部３５１からの出力信号に基づいて、取っ手３が使用状態か収納状態かを検出する。詳しくは、第２電力供給部４７は、押圧ボタン３５１ａが押圧されているときには、取っ手３が収納状態まで回動していると判定して、第２アンテナ１２，１２の第２受信部４５，４５である第２前置増幅部４５ａ，４５ａ及び第２信号処理部４５ｂ，４５ｂへの電力供給を停止する一方、押圧ボタン３５１ａが押圧されていないときには、取っ手３の回動角度が収納状態と判定できる範囲を超えている、即ち、使用状態であると判定して、第２アンテナ１２，１２の第２受信部４５，４５である第２前置増幅部４５ａ，４５ａ及び第２信号処理部４５ｂ，４５ｂへ電力を供給する。
【００６５】
したがって、スタンド角度検出部３０５及び取っ手角度検出部３０６をこのように構成した場合であっても、前記実施形態１と同様の作用・効果を奏することができる。
【００６６】
尚、前記の構成では、スイッチ部３５１及び押圧ボタン３５１ａを本体１０に設けているが、スイッチ部３５１及び押圧ボタン３５１ａをスタンド２又は取っ手３に設けてもよい。
【００６７】
−変形例３−
次に、前記実施形態１の変形例３について、図９を参照しながら説明する。図９は、変形例３に係る無線受信機器の角度検出部の構成を示す概略説明図である。
【００６８】
変形例３に係る無線受信機器は、スタンド角度検出部４０５及び取っ手角度検出部４０６の構成が前記実施形態１と異なる。そこで、前記実施形態１と同様の構成については同様の符号を付して説明を省略し、異なる構成を中心に説明する。尚、スタンド角度検出部４０５と取っ手角度検出部４０６は、スタンド２の回動角度を検出するか、取っ手３の回動角度を検出するかが異なるだけであるため、以下では、スタンド角度検出部４０５について主に説明する。
【００６９】
スタンド角度検出部４０５は、スタンド２と共に回動するギア４５１と、該ギア４５１と噛合すると共に本体１０にスライド自在に設けられたラック４５２と、本体１０に設けられて該ラック４５２の移動を検出する移動量検出部４５３とを有している。このギア４５１がスタンド側ギアを、ラック４５２がスタンド側ラックを、移動量検出部４５３がスタンド側移動量検出部を構成する。
【００７０】
すなわち、スタンド２が回動すると、それと連動してギア４５１が回動し、さらに該ギア４５１と噛合するラック４５２が移動する。そして、移動量検出部４５３でラック４５２の移動を検出することによって、スタンド２の回動角度を検出することができる。移動量検出部４５３の出力信号は第１電力供給部４３に入力される。
【００７１】
取っ手角度検出部４０６も、スタンド角度検出部４０５と同様の構成をしている。すなわち、取っ手角度検出部４０６においては、ギア４５１が取っ手３と共に回動するように設けられている。そして、取っ手３が回動すると、それと連動した該ギア４５１が回動し、さらに該ギア４５１と噛合するラック４５２が移動する。そして、移動量検出部４５３がラック４５２の移動を検出することによって、取っ手３の回動角度を検出することができる。移動量検出部４５３の出力信号は第２電力供給部４７に入力される。この取っ手角度検出部４０６が第２アンテナ側角度検出部を構成する。取っ手角度検出部４０６においては、ギア４５１が第２アンテナ側ギアを、ラック４５２が第２アンテナ側ラックを、移動量検出部４５３が第２アンテナ側移動量検出部を構成する。
【００７２】
したがって、スタンド角度検出部４０５及び取っ手角度検出部４０６をこのように構成した場合であっても、前記実施形態１と同様の作用・効果を奏することができる。
【００７３】
《発明の実施形態２》
続いて、本発明の実施形態２に係る無線受信機器５０１について、図１０を参照しながら説明する。図１０は、実施形態２に係る無線受信機器５０１の一部の構成を示すブロック図である。
【００７４】
実施形態２に係る無線受信機器５０１は、スタンド２及び取っ手３の収納状態の検出の方法が実施形態１と異なる。そこで、前記実施形態１と同様の構成については同様の符号を付して説明を省略し、異なる構成を中心に説明する。
【００７５】
詳しくは、無線受信機器５０１の受信回路５０４は、第１アンテナ１１，１１にそれぞれ接続された第１受信部４１，４１と、該第１受信部４１，４１に電力を供給する第１電力供給部４３と、第１アンテナ１１，１１で受信した信号の電力を検出する第１電力検出部５４４と、第２アンテナ１２，１２にそれぞれ接続された第２受信部４５，４５と、該第２受信部４５，４５に電力を供給する第２電力供給部４７と、第２アンテナ１２，１２で受信した信号を電力を検出する第２電力検出部５４８と、第１受信部４１，４１及び第２受信部４５，４５の出力信号が入力されるダイバーシティ合成部４９とを有している。
【００７６】
第１電力検出部５４４は、第１受信部４１の第１前置増幅部４１ａからの出力信号が入力され、該出力信号の大きさ（例えば、最大値）が所定の閾値よりも大きいか否かを判定する。すなわち、第１電力検出部５４４は、第１アンテナ１１からの電気信号の信号電力を検出し判定している。この閾値は、例えば、スタンド２が収納状態となって第１アンテナ１１のアンテナ性能が低下した状態で無線電波を受信したときの第１前置増幅部４１ａからの出力信号の大きさに設定される。つまり、第１電力検出部５４４は、第１前置増幅部４１ａからの出力信号の大きさに基づいて、スタンド２が収納状態か否か、即ち、スタンド２の回動角度が収納状態に相当する値か否かを検出することができる。そして、第１電力検出部５４４は、第１前置増幅部４１ａからの出力信号が所定の閾値以下か否かを示す信号を第１電力供給部４３に出力する。第１電力供給部４３は、第１電力検出部５４４からの出力信号に基づいて、第１前置増幅部４１ａからの出力信号が所定の閾値よりも大きいときには、第１前置増幅部４１ａ，４１ａ及び第１信号処理部４１ｂ，４１ｂへ電力を供給する一方、第１前置増幅部４１ａからの出力信号が所定の閾値以下であるときには、第１前置増幅部４１ａ，４１ａ及び第１信号処理部４１ｂ，４１ｂへの電力供給を停止する。
【００７７】
第２電力検出部５４８は、第１電力検出部５４４と同様に、第２前置増幅部４５ａからの出力信号が入力され、該出力信号の大きさ（例えば、最大値）が所定の閾値よりも大きいか否かを判定する。すなわち、第２電力検出部５４８は、第２アンテナ１２からの電気信号の信号電力を検出し判定している。この閾値は、例えば、取っ手３が収納状態となって第２アンテナ１２のアンテナ性能が低下した状態で無線電波を受信したときの第２前置増幅部４５ａからの出力信号の大きさに設定される。そして、第２電力検出部５４８は、第２前置増幅部４５ａからの出力信号の大きさが所定の閾値以下か否かを示す信号を第２電力供給部４７に出力する。第２電力供給部４７は、第２電力検出部５４８からの出力信号に基づいて、第２前置増幅部４５ａからの出力信号が所定の閾値よりも大きいときには、第２前置増幅部４５ａ，４５ａ及び第２信号処理部４５ｂ，４５ｂへ電力を供給する一方、第２前置増幅部４５ａからの出力信号が所定の閾値以下であるときには、第２前置増幅部４５ａ，４５ａ及び第２信号処理部４５ｂ，４５ｂへの電力供給を停止する。
【００７８】
ただし、電力供給を完全に停止した状態では、スタンド２（即ち、第１アンテナ１１）及び取っ手３（即ち、第２アンテナ１２）が収納状態から使用状態へと変化したことを検出できないため、所定の時間経過後に第１及び第２電力供給部４３，４７はそれぞれ第１及び第２前置増幅部４１ａ，４５ａへの電力供給を再開し、前述のように、第１及び第２前置増幅部４１ａ，４５ａの出力信号が所定の閾値以下か否かの判定並びにそれに基づく第１及び第２受信部４１，４５への電力供給及び供給停止の切換を行う。
【００７９】
このように、実施形態２に係る無線受信機器５０１では、第１及び第２アンテナ１１，１２の信号電力（詳しくは、第１及び第２前置増幅部４１ａ，４５ａの出力信号電力）に基づいて、スタンド２及び取っ手３が収納状態か否かを検出し、収納状態にある部材に設けられたアンテナへの電力供給を停止することによって、受信性能に寄与しないアンテナの受信部での電力消費を抑えることができる。
【００８０】
尚、第１及び第２電力検出部５４４，５４８はそれぞれ、第１及び第２前置増幅部４１ａ，４５ａからの出力信号を受信して、第１及び第２アンテナ１１，１２からの電気信号の信号電力を検出しているが、これに限られるものではない。例えば、第１及び第２電力検出部５４４，５４８はそれぞれ、内部に増幅部を有し、第１及び第２アンテナ１１，１２からの電気信号が直接、入力されるように構成してもよい。
【００８１】
また第１アンテナ１１と第２アンテナ１２の両方について、電力検出部を設ける構成としたが、何れか一方だけに電力検出部を設ける構成であってもよい。この場合、少なくとも電力検出部を設けた方においては電力消費を抑えることができる。
【００８２】
《その他の実施形態》
本発明は、前記実施形態について、以下のような構成としてもよい。例えば、スタンド２には２本の第１アンテナ１１，１１が設けられ、取っ手３には２本の第２アンテナ１２，１２が設けられているが、これに限られるものではない。スタンド２及び取っ手３ともに１本ずつアンテナが内蔵される構成でもよく、スタンド２及び取っ手３に少なくとも１本以上のアンテナが内蔵される構成であればよい。
【００８３】
また、第２アンテナ１２は、取っ手３に設けられているが、これに限られるものではない。第２アンテナ１２を回動可能に本体１０に直接設けてもよいし、本体１０に回動可能に設けられたプレート部材等の他の部材を設け、該他の部材に第２アンテナ１２を設けてもよい。
【００８４】
さらに、受信回路４，５０４についても、一例であって、種々の変更を採用することができる。例えば、前記の構成では、第１電力供給部４３と第２電力供給部４７とを別々に設けているが、１つの電力供給部で構成し、１つの電力供給部から第１受信部４１と第２受信部４５への電力供給を制御するように構成してもよい。
【００８５】
尚、以上の実施形態は、本質的に好ましい例示であって、本発明、その適用物、あるいはその用途の範囲を制限することを意図するものではない。
【産業上の利用可能性】
【００８６】
以上説明したように、本発明は、複数本のアンテナを備えて、空中を伝搬する無線電波を受信してデータやテレビ放送を受信する無線受信機器について有用である。
【図面の簡単な説明】
【００８７】
【図１】本発明の実施形態１に係る無線受信機器の斜視図であって、スタンド及び取っ手を使用状態にしたときの状態を示す図である。
【図２】無線受信機器の斜視図であって、スタンド及び取っ手を収納状態にしたときの状態を示す図である。
【図３】無線受信機器の斜視図であって、スタンドを使用状態に、取っ手を収納状態にしたときの状態を示す図である。
【図４】無線受信機器の斜視図であって、スタンドを収納状態に、取っ手を使用状態にしたときの状態を示す図である。
【図５】無線受信機器の一部の構成を示すブロック図である。
【図６】角度検出部の構成を示す概略説明図であって、（Ａ）は、スタンド又は取っ手の収納状態を示し、（Ｂ）は、スタンド又は取っ手が収納状態から回動したときの状態を示す。
【図７】変形例１に係る角度検出部の構成を示す概略説明図であって、（Ａ）は、スタンド又は取っ手の収納状態を示し、（Ｂ）は、スタンド又は取っ手が収納状態から回動したときの状態を示す。
【図８】変形例２に係る角度検出部の構成を示す概略説明図である。
【図９】変形例３に係る角度検出部の構成を示す概略説明図である。
【図１０】実施形態２に係る無線受信機器の一部の構成を示すブロック図である。
【符号の説明】
【００８８】
１，５０１    無線受信機器
１０          本体
１１          第１アンテナ
１２          第２アンテナ
２            スタンド
４１          第１受信部
４１ａ        第１前置増幅部
４１ｂ        第１信号処理部
４３          第１電力供給部（電力供給部）
５４４        第１電力検出部
４５          第２受信部
４５ａ        第２前置増幅部
４５ｂ        第２信号処理部
４７          第２電力供給部（電力供給部）
５４８        第２電力検出部
５，２０５，３０５，４０５  スタンド角度検出部
５０          可変抵抗器（スタンド側可変抵抗器、第２アンテナ側可変抵抗器）
５１          固定抵抗部材（スタンド側固定抵抗部材、第２アンテナ側固定抵抗部材）
５２          回動抵抗部材（スタンド側回動抵抗部材、第２アンテナ側固定抵抗部材）
２５１        磁力線センサ（スタンド側磁力線センサ、第２アンテナ側磁力線センサ）
２５２        磁石（スタンド側磁石、第２アンテナ側磁石）
３５１        スイッチ部（スタンド側スイッチ部、第２アンテナ側スイッチ部）
４５１        ギア（スタンド側ギア、第２アンテナ側ギア）
４５２        ラック（スタンド側ラック、第２アンテナ側ラック）
４５３        移動量検出部（スタンド側移動量検出部、第２アンテナ側移動量検出部）
６，２０６，３０６，４０６  取っ手角度検出部（第２アンテナ角度検出部）
【図１】
2010187171.tif 000003
【図２】
2010187171.tif 000004
【図３】
2010187171.tif 000005
【図４】
2010187171.tif 000006
【図５】
2010187171.tif 000007
【図６】
2010187171.tif 000008
【図７】
2010187171.tif 000009
【図８】
2010187171.tif 000010
【図９】
2010187171.tif 000011
【図１０】
2010187171.tif 000012